(57)【要約】     【課題】本発明は実名登録状態の取得方法、取得装置及び端末を開示する。     【解決手段】当該方法は、端末が、実名要求メッセージをネットワーク側に送信し、ここで、前記実名要求メッセージが、ネットワーク側から実名状態情報を取得するように要求することに用いられ、前記実名状態情報が、前記端末が実名登録を実行しているかを示すことに用いられること（１０１）と、端末が、ネットワーク側が実名要求メッセージに応答して返した実名状態情報を受信し、実名状態情報を表示すること（１０３）とを含む。本発明によれば、端末は、実名状態情報を取得する要求を開始するため、実名状態情報を取得してユーザに表示できるようになる。ユーザが端末の実名状態を了解した前提で端末を利用する場合にユーザ体験を向上できる。     【選択図】  図１
2013529036.tif 000002
【特許請求の範囲】
【請求項１】
実名登録状態の取得方法であって、当該方法は、
端末が、当該端末が実名登録を実行しているかを示すことに用いられる実名状態情報を、ネットワーク側から取得するように要求することに用いられる実名要求メッセージを、ネットワーク側に送信することと、
前記端末が、ネットワーク側が前記実名要求メッセージに応答して返した実名状態情報を受信し、前記実名状態情報を表示すること
とを含むことを特徴とする実名登録状態の取得方法。
【請求項２】
前記端末は、
前記端末がネットワーク認証を完了し且つネットワークアタッチを実行していない場合、又は前記端末がネットワーク認証とネットワークアタッチとを完了する場合、又は前記端末が登録された実名情報を修正した場合、又は前記端末が実名登録のログオフを実行した場合、前記実名要求メッセージをネットワーク側に送信することを特徴とする
請求項１に記載の取得方法。
【請求項３】
前記方法は、
前記実名状態情報が、前記端末が実名登録を実行しないことを示す場合、前記端末が、記憶されたサービス制御ポリシーに応じて、前記端末のサービス利用を制限することを更に含むことを特徴とする
請求項１に記載の取得方法。
【請求項４】
ネットワーク側から返された前記実名状態情報が、前記端末が実名登録を実行しないことを示す場合で、前記端末が前記端末のサービス利用を制限する前に、当該端末が当該端末において前記サービス制御ポリシーを記憶していない及び／又は前記端末のスマートカードが変化したことを判定する場合、当該端末は、前記サービス制御ポリシーを取得するように要求することに用いられるサービス制御ポリシー要求メッセージをネットワーク側に送信することを更に含むことを特徴とする請求項３に記載の取得方法。
【請求項５】
前記サービス制御ポリシー要求メッセージをネットワーク側に送信した後に、
前記端末がネットワーク側から返された前記サービス制御ポリシーを直接に受信し前記サービス制御ポリシーを取得すること、又は、
前記端末がネットワーク側から返された前記サービス制御ポリシーの記憶アドレスに応じて、前記サービス制御ポリシーを取得すること
を更に含むことを特徴とする請求項４に記載の取得方法。
【請求項６】
前記実名要求メッセージを送信した後に、前記端末が、ネットワーク側から返された、前記端末より実名登録後にネットワーク側に記憶され且つ前記実名状態情報に対応する実名情報、及び、前記実名情報の識別子、を受信して記憶することを更に含むことを特徴とする請求項１〜５のいずれか１項に記載の取得方法。
【請求項７】
前記実名情報は、前記端末の識別子、及び前記端末のユーザ特性情報を含むことを特徴とする請求項６に記載の取得方法。
【請求項８】
前記サービス制御ポリシーは、所定時間帯内の前記端末の通話時間を制限し、又は前記端末の通話を禁止することと、及び／又は、所定時間帯の、前記端末が送信するショートメッセージの数量を制限し、又は前記端末のショートメッセージサービスの利用を禁止することとのいずれか１つを少なくとも含むことを特徴とする請求項３〜５のいずれか１項に記載の取得方法。
【請求項９】
実名登録状態の取得装置であって、当該装置は、要求モジュールと、取得モジュールと、表示モジュールとを含み、
前記要求モジュールは、前記要求モジュールが位置する端末が実名登録を実行しているかを示す実名状態情報を、ネットワーク側から取得するように要求することに用いられる実名要求メッセージを、ネットワーク側に送信することに用いられ、
前記取得モジュールは、ネットワーク側が前記実名要求メッセージに応答して返した実名状態情報を受信することに用いられ、
前記表示モジュールは、前記取得モジュールが受信した前記実名状態情報を表示することに用いられることを特徴とする実名登録状態の取得装置。
【請求項１０】
前記要求モジュールは、前記端末がネットワーク認証を完了し且つネットワークアタッチを実行していない場合、又は前記端末がネットワーク認証とネットワークアタッチとを完了する場合、又は前記端末が登録された実名情報を修正した場合、又は前記端末が実名登録のログオフを実行した場合、前記実名要求メッセージをネットワーク側に送信することに用いられることを特徴とする請求項９に記載の取得装置。
【請求項１１】
前記装置は、前記取得モジュールが受信した前記実名状態情報が、前記端末が実名登録を実行しないことを示す場合、記憶されたサービス制御ポリシーに応じて、前記端末のサービス利用を制限することに用いられる処理モジュールを更に含むことを特徴とする請求項９に記載の取得装置。
【請求項１２】
前記要求モジュールは、前記端末において、前記サービス制御ポリシーを記憶していない、及び／又は前記端末のスマートカードが変化した場合、前記サービス制御ポリシーを取得するように要求することに用いられるサービス制御ポリシー要求メッセージをネットワーク側に送信することに更に用いられることを特徴とする請求項１１に記載の取得装置。
【請求項１３】
前記取得モジュールは、前記端末がネットワーク側から返された前記サービス制御ポリシーを直接に受信し、又は、ネットワーク側から返された前記サービス制御ポリシーの記憶アドレスに応じて、前記サービス制御ポリシーを取得することに更に用いられることを特徴とする請求項１２に記載の取得装置。
【請求項１４】
前記取得モジュールは、
ネットワーク側から返された、前記端末より実名登録後にネットワーク側に記憶され且つ前記実名状態情報に対応する実名情報、及び、前記実名情報の識別子、を受信して記憶することに更に用いられることを特徴とする請求項８〜１１のいずれか１項に記載の取得装置。
【請求項１５】
前記実名登録状態の取得装置は、端末に位置することを特徴とする請求項８〜１１のいずれか１項に記載の取得装置。
【発明の詳細な説明】
【技術分野】
【０００１】
本発明は通信分野に関し、特に、実名登録状態の取得方法、取得装置及び端末に関する。
【背景技術】
【０００２】
端末の実名管理により、効果的に、端末とユーザのアイデンティティとが結合でき、それによって、各端末に対して高度に管理と監視を実行でき、ネットワークに危険なユーザを適時に発見することに役立つ。
【０００３】
ユーザの端末が実名情報を登録する後に、ネットワークは、当該端末が実名端末だと判定でき、それによって当該端末がサービスを正常に使用することを許可する。しかし、ネットワーク側が、端末が実名登録を実行したかどうかを判定できる必要がある以外、ユーザが、端末側により当該端末が実名を登録したかどうかを認識できない場合、ユーザの利用に不便をもたらす。
【０００４】
例えば、１つの端末が実名情報を登録していないと、ユーザが登録に成功したがどうかを確定できなく、この場合に、端末が実名登録を実行しなかった原因でサービスがネットワーク側に制限されることを招くと、非フレンドリーな効果が生じ、それによってユーザ体験（ユーザが体験するユーザフレンドリーさ。利便性、操作性、使用性を含む。以下、ユーザ体験と称する。）を低下させる。
現時点、端末が実名登録の状態をユーザに通知できないことでユーザ体験が低下することを招く問題に対して、効果的な解決策がまだ提出されていない。
【発明の概要】
【発明が解決しようとする課題】
【０００５】
本発明は、関連技術において記載した端末が実名登録の状態をユーザに通知できないことでユーザ体験が低下することを招く問題に対して、端末の実名登録状態を端末を介してユーザに明確に通知することが可能となり、ユーザ体験を向上させる実名登録状態の取得方法、取得装置及び端末を提供する。
【課題を解決するための手段】
【０００６】
上記目的を実現するために、本発明の技術的スキームは以下のように実現される。
実名登録状態の取得方法は、端末が、実名要求メッセージをネットワーク側に送信し、ここで、前記実名要求メッセージが、ネットワーク側から実名状態情報を取得するように要求することに用いられ、前記実名状態情報が、前記端末が実名登録を実行しているかを示すことに用いられることと、前記端末が、ネットワーク側が前記実名要求メッセージに応答して返した実名状態情報を受信し、前記実名状態情報を表示することとを含む。
【０００７】
前記端末は、前記端末がネットワーク認証を完了し且つネットワークアタッチ（ネットワーク接続（論理的な接続））を実行していない場合、又は前記端末がネットワーク認証とネットワークアタッチとを完了する場合、又は前記端末が登録された実名情報を修正した場合、又は前記端末が実名登録のログオフを実行した場合、前記実名要求メッセージをネットワーク側に送信する。
【０００８】
前記方法は、前記実名状態情報が、前記端末が実名登録を実行しないことを示す場合、前記端末が、記憶されたサービス制御ポリシーに応じて、前記端末のサービス利用を制限することを更に含む。
【０００９】
ネットワーク側から返された前記実名状態情報が、前記端末が実名登録を実行しないことを示す場合、前記端末が前記端末のサービス利用を制限する前に、前記方法は、前記端末が、前記端末において、前記サービス制御ポリシーを記憶していない、及び／又は前記端末のスマートカードが変化したことを判定する場合、前記端末が、前記サービス制御ポリシーを取得するように要求することに用いられるサービス制御ポリシー要求メッセージをネットワーク側に送信することを更に含。
【００１０】
前記サービス制御ポリシー要求メッセージをネットワーク側に送信した後に、前記方法は、前記端末がネットワーク側から返された前記サービス制御ポリシーを直接に受信し、又は、前記端末がネットワーク側から返された前記サービス制御ポリシーの記憶アドレスに応じて、前記サービス制御ポリシーを取得することを更に含む。
【００１１】
前記実名要求メッセージを送信した後に、前記方法は、前記端末がネットワーク側から返された実名情報及び前記実名情報の識別子を受信して記憶することを更に含み、ここで、前記実名情報が、前記端末より実名登録後にネットワーク側に記憶され、且つ、前記実名情報が前記実名状態情報に対応する。
【００１２】
前記実名情報は、前記端末の識別子、及び前記端末のユーザ特性情報を含む。
【００１３】
前記サービス制御ポリシーは、所定時間帯内の前記端末の通話時間を制限し、又は前記端末の通話を禁止することと、及び／又は、所定時間帯の、前記端末が送信するショートメッセージの数量を制限し、又は前記端末のショートメッセージサービスの利用を禁止することとのいずれか１つを少なくとも含む。
【００１４】
実名登録状態の取得装置は、要求モジュールと、取得モジュールと、表示モジュールとを含み、
前記要求モジュールは、実名要求メッセージをネットワーク側に送信することに用いられ、ここで、前記実名要求メッセージが、ネットワーク側から実名状態情報を取得するように要求することに用いられ、前記実名状態情報が、前記要求モジュールが位置する端末が実名登録を実行しているかを示すことに用いられ、
前記取得モジュールは、ネットワーク側が前記実名要求メッセージに応答して返した実名状態情報を受信することに用いられ、
前記表示モジュールは、前記取得モジュールが受信した前記実名状態情報を表示することに用いられる。
【００１５】
前記要求モジュールは、前記端末がネットワーク認証を完了し且つネットワークアタッチを実行していない場合、又は前記端末がネットワーク認証とネットワークアタッチとを完了する場合、又は前記端末が登録された実名情報を修正した場合、又は前記端末が実名登録のログオフを実行した場合、前記実名要求メッセージをネットワーク側に送信することに用いられる。
【００１６】
前記装置は、前記取得モジュールが受信した前記実名状態情報が、前記端末が実名登録を実行しないことを示す場合、記憶されたサービス制御ポリシーに応じて、前記端末のサービス利用を制限することに用いられる処理モジュールを更に含む。
【００１７】
前記要求モジュールは、前記端末において、前記サービス制御ポリシーを記憶していない、及び／又は前記端末のスマートカードが変化した場合、前記サービス制御ポリシーを取得するように要求することに用いられるサービス制御ポリシー要求メッセージをネットワーク側に送信することに更に用いられる。
【００１８】
前記取得モジュールは、前記端末がネットワーク側から返された前記サービス制御ポリシーを直接に受信し、又は、ネットワーク側から返された前記サービス制御ポリシーの記憶アドレスに応じて、前記サービス制御ポリシーを取得することに更に用いられる。
【００１９】
前記取得モジュールは、ネットワーク側から返された実名情報及び前記実名情報の識別子を受信して記憶することに更に用いられ、ここで、前記実名情報が、前記端末より実名登録後にネットワーク側に記憶され、且つ、前記実名情報が前記実名状態情報に対応する。
前記実名登録状態の取得装置は、端末に位置する。
【００２０】
本発明によれば、実名状態情報を取得する要求を開始することで、端末が実名状態情報を取得してユーザに表示できるようになり、ユーザが端末の実名状態を了解した前提で端末を利用することができ、それによって、ユーザ体験を向上させて、端末側で実名登録を実行しない端末のサービス利用の範囲を制限することが可能である。
【図面の簡単な説明】
【００２１】
【図１】本発明に係る実施形態における端末通信の実名登録状態の取得方法のフローチャートである。
【図２】本発明に係る実施形態における実名登録状態の取得装置の構造を示す図である。
【図３】本発明に係る実施形態における実名登録状態の取得装置の具体的な構造実例を示す図である。
【図４】本発明に係る実施形態における実名登録状態の取得装置が実名更新を行う処理のフローチャートである。
【図５】本発明に係る実施形態における実名登録状態の取得装置が実名取得を行う処理のフローチャートである。
【発明を実施するための形態】
【００２２】
本発明は、関連技術において記載した端末が実名登録の状態をユーザに通知できないことでユーザ体験が低下することを招く問題について、実名状態情報を取得するように、端末からネットワーク側に実名要求メッセージを送信することにより、端末の実名登録状態を端末を介してユーザに明確に通知することが可能となり、ユーザが、端末が実名登録を実行しているかをわかることができるようになり、ユーザ体験を向上させることを提案する。
以下、付図に合わせて本発明の技術的スキームを詳しく説明する。
【００２３】
図１は本発明に係る実施形態における端末通信の実名登録状態の取得方法のフローチャートであり、図１に示すように、本発明に係る実施形態における実名登録状態の取得方法は、以下のステップを含む。
【００２４】
ステップ１０１では、端末は、実名要求メッセージ（当該要求メッセージに端末の識別子（例えば、端末におけるスマートカードの識別子）が含まれることが可能である）をネットワーク側に送信する。ここで、実名要求メッセージは、ネットワーク側から実名状態情報を取得するように要求することに用いられ、実名状態情報は、端末が実名登録を実行しているか（即ち、ユーザが実名登録を実行しているか）を示すことに用いられる。
【００２５】
ステップ１０３では、端末は、ネットワーク側が実名要求メッセージに応答して返した実名状態情報を受信し、前記実名状態情報を表示する。
【００２６】
上記処理により、端末が実名状態情報を取得してユーザに表示でき、ユーザが端末の実名状態を了解した前提で端末を利用することができるようになり、それによって、ユーザ体験を向上させる。
【００２７】
実際の応用において、端末は、端末がネットワーク認証を完了し（ネットワーク認証を完了した後、端末が直ちにネットワークと通信できる）且つネットワークアタッチを実行していない（ネットワークアタッチを実行していない場合、サービスの一部がアタッチしていない影響を受けて使用されることができない可能性がある）場合、又は端末がネットワーク認証とネットワークアタッチとを完了する場合、又は端末が登録された実名情報を修正した場合、又は前記端末が実名登録のログオフを実行した場合、前記実名要求メッセージをネットワーク側に送信できる。
【００２８】
なお、当該方法は、実名状態情報が、前記端末が実名登録を実行しないことを示す場合、端末が、記憶されたサービス制御ポリシーに応じて、前記端末のサービス利用を制限することを更に含む。
【００２９】
更に、ネットワーク側から返された実名状態情報が、前記端末が実名登録を実行しないことを示す場合、端末が端末のサービス利用を制限する前に、端末が、まず、前記端末において、サービス制御ポリシーを記憶しているか、及び／又は端末のスマートカードが変化したか（例えば、ＳＩＭ（ＵＳＩＭ、ＲＳＩＭ等）カードが変化した（例えば、ユーザが端末におけるスマートカードを変更した））を判定すべきである。そして、判定結果が下記の条件のいずれか１つを満たす場合、端末が、サービス制御ポリシー要求メッセージをネットワーク側に送信する必要がある。
条件（１）：端末がサービス制御ポリシーを記憶しなかった。
条件（２）：端末のスマートカードが変化した。
ここで、端末が送信するサービス制御ポリシー要求メッセージは、サービス制御ポリシーを取得するように要求することに用いられる。
【００３０】
端末がサービス制御ポリシー要求メッセージをネットワーク側に送信した後、端末は、サービス制御ポリシーを取得する必要があり、取得方式は、次の１つを含んで良い。端末がネットワーク側から返されたサービス制御ポリシーを直接に受信する方式、又は、端末がネットワーク側から返されたサービス制御ポリシーの記憶アドレスに応じて、サービス制御ポリシーを取得する方式である。ここで、ネットワーク側から返された記憶アドレスは、１つのネットワークリンクであってよく、端末は、当該ネットワークリンクに応じて、サービス制御ポリシーをダウンロードできる。
【００３１】
なお、端末が登録された実名情報を更に取得することができるのを保証するために、端末が前記実名要求メッセージを送信した後、ネットワーク側は、実名要求メッセージに応答して、端末によって登録された実名情報と実名状態情報とを一緒に端末に返すことができ、その上、ネットワーク側が実名情報を返す同時に、更に当該実名情報の識別子（例えば、実名情報の名称）も返すことができる。端末は、ネットワーク側から返された実名情報及び実名情報の識別子を受信して記憶することができる。ここで、実名情報は、端末が実名登録を実行した後にネットワーク側に記憶したものであり、且つ、実名情報は、実名状態情報に対応する。ここで、実名情報は、端末の識別子、及び端末のユーザ特性情報（例えば、ユーザの身分登録番号、対応するパスワード情報等）を含む。
【００３２】
なお、実名情報の識別子は、ネットワーク側が実名状態情報を返す時、実名状態情報と一緒に端末に返されてもよい。
【００３３】
選択可能には、上記サービス制御ポリシーは、所定時間帯内の前記端末の通話時間を制限し（呼び出しの時間を制限してよく、応答する時間を制限してもよい）、又は端末の通話を禁止することと、及び／又は、所定時間帯の、端末が送信するショートメッセージの数量（ショートメッセージの受信の数量を制限してよく、ショートメッセージの送信と受信の合計数量を制限しても良い）、又は端末のショートメッセージサービスの利用を禁止することとを含んで良い。
【００３４】
なお、利用制限のサービスは、通話とショートメッセージ伝送の他、端末のマルチメディアメッセージサービス、インターネットサービス等を含んでもよい。また、サービス制御ポリシーがトラフィックに応じてサービスの利用を制限してもよい。具体的な制限方法は本願で１つずつ列挙しない。
【００３５】
選択可能には、実名状態情報を表示する時、端末は、ディスプレイにアイコン（又は文字）を表示してよい。それによって、当該端末が既に実名情報を登録したこと、又は当該端末が実名情報を登録しなく且つ通信が制限されることをユーザに通知する。
【００３６】
上記処理により、端末が実名状態情報を取得してユーザに表示でき、ユーザが端末の実名登録状態を了解した前提で端末を利用することができるようになり、ユーザ体験を向上させ、その上、端末側で実名登録を実行しない端末のサービス利用の範囲を制限できる。
【００３７】
本発明の実施形態によって、更に、実名登録状態の取得装置を提供する。
図２に示すように、本発明に係る実施形態における実名登録状態の取得装置は、要求モジュール２１と、取得モジュール２２と、表示モジュール２３とを含み、
前記要求モジュール２１は、実名要求メッセージをネットワーク側に送信することに用いられる。ここで、前記実名要求メッセージは、ネットワーク側から実名状態情報を取得するように要求することに用いられ、前記実名状態情報は、前記要求モジュールが位置する端末が実名登録を実行しているかを示すことに用いられる。
【００３８】
前記取得モジュール２２は、ネットワーク側が実名要求メッセージに応答して返した実名状態情報を受信することに用いられ、
前記表示モジュール２３は、取得モジュール２２に接続され、取得モジュール２２が受信した実名状態情報を表示することに用いられる。
【００３９】
上記処理により、端末が実名状態情報を取得してユーザに表示でき、ユーザが端末の実名状態を了解した前提で端末を利用することができるようになり、ユーザ体験を向上させる。
【００４０】
ここで、要求モジュール２１は、端末がネットワーク認証を完了し且つネットワークアタッチを実行していない場合、又は端末がネットワーク認証とネットワークアタッチとを完了する場合、又は端末が登録された実名情報を修正した場合、又は端末が実名登録のログオフを実行した場合、実名要求メッセージをネットワーク側に送信することに用いられることができる。
【００４１】
当該装置は、取得モジュール２２が受信した実名状態情報が、前記端末が実名登録を実行しないことを示す場合、記憶されたサービス制御ポリシーに応じて、端末のサービス利用を制限することに用いられる処理モジュール２４を更に含む。
【００４２】
なお、要求モジュール２１は、端末において、前記サービス制御ポリシーを記憶していない、及び／又は端末のスマートカードが変化した場合、サービス制御ポリシー要求メッセージをネットワーク側に送信することに更に用いられる。ここで、サービス制御ポリシー要求メッセージは、サービス制御ポリシーを取得するように要求することに用いられる。
【００４３】
取得モジュール２２は、ネットワーク側から返されたサービス制御ポリシーを直接に受信する、又は、ネットワーク側から返されたサービス制御ポリシーの記憶アドレス（例えば、サービス制御ポリシーを記憶するリンク）に応じて、サービス制御ポリシーを取得することに更に用いられる。
【００４４】
取得モジュール２２は、ネットワーク側から返された実名情報及び実名情報の識別子（当該識別子は実名情報の名称であってよい）を受信して記憶することに更に用いられる。ここで、実名情報は、端末が実名登録を実行した後にネットワーク側に記憶したものであり、且つ、実名情報は、実名状態情報に対応する。
【００４５】
選択可能には、上記サービス制御ポリシーは、所定時間帯の端末通話時間を制限し、又は端末の通話を禁止することと、及び／又は、所定時間帯に端末がショートメッセージを送信する数量を制限し、又は端末のショートメッセージサービス利用を禁止することとのいずれか１つを少なくとも含む。
【００４６】
上記装置により、端末が実名状態情報を取得してユーザに表示でき、ユーザが端末の実名状態を了解した前提で端末を利用することができるようになり、それによって、ユーザ体験を向上させ、その上、端末側で実名登録を実行しない端末のサービス利用の範囲を制限することが可能である
【００４７】
図３は本発明の実施形態に係る実名登録状態の取得装置の具体的な構造実例を示すブロック図であり、図３に示すように、本実施例において、実名登録状態の取得装置は、実名検証ユニット３１、実名状態監視ユニット３２、実名更新ユニット３４、実名ポリシーユニット３３を含む。
【００４８】
実名検証ユニット３１は、ネットワーク側の関連ユニットとインタラクション（相互通信）を行い、当該装置が実名を実行したかどうかを確定することに用いられ、上記要求モジュールと取得モジュールの一部の機能を備えることに相当する。
【００４９】
実名状態監視ユニット３２は、実名検証ユニット３１に接続され、実名検証ユニットの検証結果を受信することに用いられ、上記表示モジュールの機能を備えることに相当し、実名状態情報を維持し、更にシステム側からの更新メッセージを受信し、且つ実名ポリシーユニット３３に実名状態情報を提供し、サービスの実行の制御に用いられる。
【００５０】
実名ポリシーユニット３３は、実名状態監視ユニット３２に接続され、ネットワーク側からサービス制御ポリシーを取得するように要求し、ネットワーク側からのサービス制御ポリシーを受信し、これらの情報に応じて、当該装置上の対応するサービスの実行を制御することに用いられ、要求モジュールと取得モジュールの機能の一部を備えることに相当し、上記処理モジュールの機能を備える。
【００５１】
実名更新ユニット３４は、実名検証ユニット３１と実名状態監視ユニット３２に接続され、ネットワークに実名を登録し、登録が成功した後、ネットワーク側が実名情報を当該装置に送信し、当該装置の実名検証ユニット３１、実名状態監視ユニット３２、実名ポリシーユニット３３がそれぞれ対応する情報に応じて、更新を行い、対応する機能を完了させ、実名状態の正確性を保証する。
【００５２】
以下、当該装置における各モジュールの機能及び実名状態取得とサービス制御の処理過程を詳しく説明する。
図４は端末が実名更新を開始する処理のフローチャートであり、図４に示すように、具体的に以下のステップを含む。
【００５３】
ステップ４０１では、端末が待機状態に入る。
【００５４】
ステップ４０２では、実名更新ユニットがネットワーク側へ実名更新動作を開始する。
【００５５】
ステップ４０３では、実名更新ユニットが実名更新動作を完了させたかどうかを判定し、完了した場合、ステップ４０４を実行し、そうでない場合、ステップ４０５を実行する。
【００５６】
ステップ４０４では、ユーザの実名登録と実名登録ログオフを許可する場合、動作が成功に完了した場合、実名検証動作プロセスを開始し、即ち、図５中のステップ５０２〜５０９を実行することで現在の実名状態を確認し、更新された実名情報を端末に通知する。
【００５７】
ステップ４０５では、端末が動作失敗をプロンプト（通知）すると、実名更新ユニット動作前の初期状態に戻る。
【００５８】
図５は端末がパワーオンして実名状態情報を取得する処理過程である。図５に示すように、具体的に以下のステップを含む。
【００５９】
ステップ５０１では、端末がパワーオンし、ネットワークに登録（即ち、ネットワーク登録を行う）してネットワークアタッチを完了する。
【００６０】
ステップ５０２では、実名検証ユニットがネットワーク側とインタラクションを行い、端末の実名状態を検証し、即ち、端末の実名状態情報を取得する。
【００６１】
ステップ５０３では、実名検証ユニットが検証結果を実名状態監視ユニットに入力する。ここで、検証結果は、実名状態情報、即ち端末が実名を登録したかどうか、実名情報の名称等を含んでよく、これらの情報が待機状態でアイコン又は文字の形式で表示されてよく、ユーザにプロンプトする。
【００６２】
ステップ５０４では、実名状態監視ユニットが実名状態を実名ポリシーユニットに入力する。
【００６３】
ステップ５０５では、実名状態監視ユニットが検証結果に応じて、実名を登録したかどうかを判定し、肯定である場合、ステップ５０７を実行し、否定である場合、ステップ５０６を実行する。
【００６４】
ステップ５０６では、端末が、当該端末が実名を登録しなかったことを表示し、サービスの利用が制限されるとユーザにプロンプトし、その後、ステップ５０８を実行する。
【００６５】
ステップ５０７では、端末が、当該端末が既に実名を登録したことを表示し、ステップ５０９を実行する。
【００６６】
ステップ５０８では、実名ポリシーユニットがネットワーク側とインタラクションを行ってサービス制御ポリシーを取得する。
【００６７】
ステップ５０９では、端末が待機状態に入る。
【００６８】
実名ポリシーユニットは、ネットワーク側から取得されたサービス制御ポリシーを、次回パワーオンした後にユーザがサービスを利用できるかどうかの判定基準として記憶する。１つの方式は、ネットワーク側がサービス制御ポリシーのリンクを応答メッセージとして実名ポリシーユニットに返し、実名ポリシーユニットが当該応答メッセージを受信した後、当該リンクに応じて、サービス制御ポリシーを取得して記憶する。もう１つの方式は、実名ポリシーユニットがネットワーク側からの直接に返したサービス制御ポリシーを受信する。
【００６９】
その上、実名ポリシーユニットは、更に、端末にＳＩＭ（ＵＳＩＭ、ＲＳＩＭ等）の変化があったかどうかを検出でき、変化がない場合、サービス制御ポリシーが記憶されているかどうかを検査し、記憶されていない場合、実名ポリシーユニットがサービス制御ポリシー要求メッセージを開始し、ＳＩＭ（ＵＳＩＭ、ＲＳＩＭ等）の変化があった場合、サービス制御ポリシー要求メッセージを直接に開始する。
【００７０】
ユーザが続いて端末を利用する時、端末がサービスを開始する場合、端末は、まず実名状態を検査し、実名を登録した場合、関連サービスを直接に開始し、非実名状態（即ち、端末が実名を登録しなかった）にある場合、実名サービス制御ポリシー状態に入り、この時、サービス制御ポリシーに応じて、開始されたサービスを制限する。例えば、ショートメッセージサービス（ＳＭＳ）に対する制御ポリシーが１時間内に送信するショートメッセージが１０本を超えてはいけないことであってよく、端末が開始した実際のサービスが当該サービス制御ポリシーを満たさない場合（即ち、受信されたサービス制御ポリシーの制限で正常にサービスを実行できない場合）、端末が引き続き当該サービスを実行することを許さず、その上、端末がタイムリーに実名登録を完了すればサービスの利用制限をキャンセルすることができるとユーザにプロンプトする。
【００７１】
わかるように、本実施形態における装置により、実名の更新を実現できる。更新は、主に実名登録と実名登録ログオフに関わり、実際に実名登録とログオフを行う時は、ユーザが端末を介して動作タイプ、例えば実名登録、ログオフ等を選択できる。
【００７２】
実名登録の時、ユーザが各種のユーザ特性情報、例えば有効な証明書のタイプ、証明書の情報、名前、パスワード等の実名に必要な必須内容を入力でき、情報入力を完了させた後、ネットワークに提出して認証を行い、返信情報を待つ。実名登録ログオフの時、ユーザがネットワーク側に実名登録ログオフ動作要求を提出し、ネットワークの返信情報を待つ。端末がネットワークの返信メッセージを受信した後、実名検証プロセスを開始し、実名を登録したかどうかの検証、及びサービス制御ポリシーを記憶するかどうかの判定等を含む。
【００７３】
本実施形態における上記装置は、端末に集積してもよく、単一の装置として汎用インターフェースを介して端末に接続されても良い。
【００７４】
上記ように、本発明の上記スキームによれば、端末が実名状態情報を取得してユーザに表示でき、ユーザが端末の実名状態を了解した前提で端末を利用することができるようになり、ユーザ体験を向上させ、その上、端末側で実名登録を実行しない端末のサービス利用の範囲を制限することが可能で、更にユーザが端末を介して実名情報の検索と更新等の管理を行うことも可能になる。
【００７５】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。     
【図１】
2013529036.tif 000003
【図２】
2013529036.tif 000004
【図３】
2013529036.tif 000005
【図４】
2013529036.tif 000006
【図５】
2013529036.tif 000007
【国際調査報告】
2013529036.tif 000008
2013529036.tif 000009
2013529036.tif 000010
2013529036.tif 000011